(57)【特許請求の範囲】
【請求項１】
ケーブル要素にＳＺ撚りを施すＳＺ反転装置と、ＳＺ撚りを施されたケーブル要素に第１の押さえ巻きを施す中空シャフトを有する第１の押さえ巻き装置と、第１の押さえ巻きを施されたケーブル要素に第１の押さえ巻きと反対方向に第２の押さえ巻きを施す中空シャフトを有する第２の押さえ巻き装置とを備えたＳＺ撚り装置において、ＳＺ反転装置を第１の押さえ巻き装置の中空シャフトに挿入し、第１の押さえ巻き装置の押さえ巻き口を第２の押さえ巻き装置の押さえ巻き口の近傍に設けたことを特徴とするＳＺ撚り装置。
【発明の詳細な説明】
【０００１】
【産業上の利用分野】
本発明は、通信ケーブルなどの製造に用いるＳＺ撚り装置に関し、特に押さえ巻きの改良に関するものである。
【０００２】
【従来技術】
光・通信ケーブルなどの製造方法においては、ケーブルに可撓性を付与する等の目的のために、絶縁心線、光ファイバ心線、あるいはこれらを複数本集合したユニットなどのケーブル要素を撚り合わせる工程が一般的に行われる。従来、ケーブル要素を撚り合わせる方法としては、例えば図２に示すようなものがある。即ち、複数のドラム１を回転ゲージ２内にセットして一方向に回転しながらケーブル要素４を供給し、撚り合わせ口金３直前で撚り合わせる。また、図示してないが、複数本の糸状物あるいはテープ状物の押さえ巻き材料を撚り合わせ口金３直前あるいは直後のいずれかで一方向に巻き付けて押さえ巻きを施す。この方法では、ドラムが大型化されると装置も大きくなり、また、ドラムの取り替えに手数がかかり、作業能率を上げられないという問題があった。
【０００３】
このような問題を解決した撚り合わせ方法にＳＺ撚り法がある。この方法では、ケーブル要素の繰り出し側も引き取り側も撚り方向に回転しない。その代わりに図３に示すように、両者の中間にＳＺ反転装置１１があり、ケーブル要素１２がその中を通過する際、ケーブル要素１２に一定間隔で右撚り（Ｓ撚り）・左撚り（Ｚ撚り）の撚りを交互に与えるようになっている。その工程の手順は次の通りである。即ち、
１）図３において、ケーブル要素１２が右から左へ進行する。ケーブル要素１２は、進行方向に移動すると同時にＳＺ反転装置１１の回転により撚りが与えられる。ＳＺ反転装置１１の回転方向は、適宜の時間間隔で逆転する。
２）ＳＺ撚りしたものが元に戻らないようにするために、撚り合わせ口金１７直前で、第１の押さえ巻き装置１３により一定方向の第１の押さえ巻きを施す。次いで、第２の押さえ巻き装置１４により第１の押さえ巻き方向と反対方向に第２の押さえ巻きを施す。１５、１６は押さえ巻き材料、１８はＳＺ撚りされたＳＺ撚りケーブル、１９および２０は各々押さえ巻き装置１３、１４内に設けられた中空シャフトである。
【０００４】
当初、ＳＺ撚りの押さえ巻きは、一方向（Ｓ方向あるいはＺ方向）だけであった。しかしながら、そうすると、撚り合わせられたケーブルは、押さえ巻き時に一方向に捩じられる傾向があり、特性上に問題を生じ、ひどい場合には、ケーブルに破断が生じた。そこで、上述のように、追加の第２の押さえ巻きを第１の押さえ巻き方向と反対方向に施している。
【０００５】
【発明が解決しようとする課題】
しかしながら、上述のＳＺ撚り装置では、第２の押さえ巻きはケーブルが第１の押さえ巻き装置１３から出てきた後に施され、撚り合わせ口直前で施されていない。その結果として、ケーブルの捻回を複雑なものにしている。また、第２の押さえ巻きは押さえ巻きとして機能しないという問題があった。本発明は、第１および第２の押さえ巻きを互いに逆向きに、且つ、撚り合わせ口直前で施す装置を提供することを目的とするものである。
【０００６】
【課題を解決するための手段】
本発明は上記問題点を解決したＳＺ撚り装置を提供するもので、ケーブル要素にＳＺ撚りを施すＳＺ反転装置と、ＳＺ撚りを施されたケーブル要素に第１の押さえ巻きを施す中空シャフトを有する第１の押さえ巻き装置と、第１の押さえ巻きを施されたケーブル要素に第１の押さえ巻きと反対方向に第２の押さえ巻きを施す中空シャフトを有する第２の押さえ巻き装置とを備えたＳＺ撚り装置において、ＳＺ反転装置を第１の押さえ巻き装置の中空シャフトに挿入し、第１の押さえ巻き装置の押さえ巻き口を第２の押さえ巻き装置の押さえ巻き口の近傍に設けたものである。
【０００７】
【作用】
上述の発明では、ＳＺ反転装置を第１の押さえ巻き装置の中空シャフトに挿入することにより、撚り口を第１の押さえ巻き装置の巻き口の近傍に設け、かつ、第１の押さえ巻き装置の押さえ巻き口を第２の押さえ巻き装置の押さえ巻き口に面した近傍に設けることができる。このようにして、本発明によれば、撚り口の近傍に第１および第２の押さえ巻き口を設けることができるので、ケーブルに不必要な捻回を与えることなく、ＳＺ撚りを実現する事ができる。
【０００８】
【実施例】
以下、図面に示した実施例に基づいて本発明を詳細に説明する。
図１は、本発明にかかるＳＺ撚り装置の一実施例の説明図である。本実施例では、中空シャフト２６を備えた第１の押さえ巻き装置２３と中空シャフト２５を備えた第２の押さえ巻き装置２４を、両者の押さえ巻き口が対向し、かつ、近接するように配置する。そうして、ＳＺ反転装置１１を第１の押さえ巻き装置２３の中空シャフト２６に押さえ巻き口と反対側から挿入し、ＳＺ反転装置１１の撚り合わせ口金１７を第１の押さえ巻き口近傍に設置する。ＳＺ反転装置１１と中空シャフト２６の間には軸受け２９を設ける。１２はケーブル要素、１８はＳＺ撚りケーブル、２７、２８は押さえ巻き材料である。
【０００９】
なお、本実施例では、いわゆるセンター巻き方式（押さえ巻き材料が巻かれた管の中心に中空シャフトを設置する）でそれぞれの押さえ巻きを施している。しかしながら、通常のケーブルの押さえ巻きのように、複数本の押さえ巻き材を各々サイド巻き方式（押さえ巻き材料を中空シャフトのサイドに設置する）で繰り出すことも可能であり、その場合は、複数本の押さえ巻き材に対応した複数本の穴または溝を延長中空シャフト部分に形成する。
【００１０】
【発明の効果】
以上説明したように本発明によれば、ケーブル要素にＳＺ撚りを施すＳＺ反転装置と、ＳＺ撚りを施されたケーブル要素に第１の押さえ巻きを施す中空シャフトを有する第１の押さえ巻き装置と、第１の押さえ巻きを施されたケーブル要素に第１の押さえ巻きと反対方向に第２の押さえ巻きを施す中空シャフトを有する第２の押さえ巻き装置とを備えたＳＺ撚り装置において、ＳＺ反転装置を第１の押さえ巻き装置の中空シャフトに挿入し、第１の押さえ巻き装置の押さえ巻き口を第２の押さえ巻き装置の押さえ巻き口の近傍に設けるため、第１および第２の押さえ巻きを撚り合わせ口直後の位置で近接して施すことができるので、ケーブルの捻回を防止することができるという優れた効果がある。
【図面の簡単な説明】
【図１】  本発明に係るＳＺ撚り装置の一実施例の説明図である。
【図２】  従来のケーブル要素の撚り合わせ方法の説明図である。
【図３】  従来のＳＺ撚り装置の説明図である。
【符号の説明】
１１        ＳＺ反転装置
１２        ケーブル要素
１７        撚り合わせ口金
１８        ＳＺ撚りケーブル
２３、２４  押さえ巻き装置
２５、２６  中空シャフト
２７、２８  押さえ巻き材料
２９        軸受け
【図１】
0003682303.tif 000002
【図２】
0003682303.tif 000003
【図３】
0003682303.tif 000004